(57)【要約】トランスポンダ（２）と非接触方法で通信する通信局（１）によって複数のトランスポンダ（２）のインベントリを行う方法において、前記通信局（１）は、前記通信局（１）の通信範囲において非変調キャリア信号（ＮＭＣＳ）を発信し、各トンラスポンダ（２）は前記通信範囲に入ると存在情報伝達信号（ＰＲＥＳ）を発信し、前記通信局（１）は存在情報伝達信号（ＰＲＥＳ）を受信するとインベントリ・コマンド信号（ＩＮＶＳ）を発信し、各トランスポンダ（２）はインベントリ・コマンド信号（ＩＮＶＳ）を受信すると、トランスポンダ（２９）のインベントリを許可する応答信号（ＲＥＳＰＳ）を発信し、前記通信局（１）は、応答信号（ＲＥＳＰＳ）を正確に受信すると当該トランスポンダ（２）のインベントリを実行する。
2005537734.tif 000002
【特許請求の範囲】
【請求項１】
通信局により少なくとも１つのトランスポンダのインベントリを行う方法であって、
前記通信局は通信範囲において非変調キャリア信号を発信し、
前記トランスポンダは前記通信範囲に入ったときに前記通信範囲において存在情報伝達信号を発信し、
前記通信局は存在情報伝達信号を受信すると前記通信範囲においてインベントリ・コマンド信号を発信し、
前記トランスポンダは前記インベントリ・コマンド信号を受信すると前記通信範囲において前記トランスポンダの前記インベントリを許可する応答信号を発信し、
前記通信局は前記応答信号を正確に受信すると前記トランスポンダのインベントリを実行することを含む方法。
【請求項２】
前記トランスポンダは、第１の信号持続時間を有する存在情報伝達信号と第２の信号持続時間を有する応答信号とを発信し、前記第１の信号持続時間が前記第２の信号持続時間より短いことを特徴とする請求項１に記載の方法。
【請求項３】
前記第１の信号持続時間と前記第２の信号持続時間が１：Ｘの比を有し、前記Ｘの値がＸ＝１０〜Ｘ＝１００の範囲にあることを特徴とする請求項２に記載の方法。
【請求項４】
前記Ｘの値がＸ＝２０〜Ｘ＝３５の範囲にあることを特徴とする請求項３に記載の方法。
【請求項５】
前記トランスポンダは、第１の伝送パラメータを有する存在情報伝達信号と第２の伝送パラメータを有する応答信号を発信することを特徴とする請求項１に記載の方法。
【請求項６】
各サブキャリア信号の２つの異なるサブキャリア周波数のうち、１つは第１の伝送パラメータとして、もう１つは第２の伝送パラメータとして使用されることを特徴とする請求項５に記載の方法。
【請求項７】
少なくとも１つのトランスポンダと通信し、少なくとも１つのトランスポンダについてインベントリを行う通信局であって、
信号を送受信する局送信手段が設けられ、
非変調キャリア信号を生成するキャリア信号生成手段が設けられ、前記非変調キャリア信号は通信範囲において前記局送信手段によって発信され、
前記トランスポンダによって生成され且つ発信され、前記局送信手段によって受信される存在情報伝達信号を検出する存在情報伝達信号検出手段が設けられ、
前記存在情報伝達信号を検出して機能として起動し得るインベントリ・コマンド信号生成手段がインベントリ・コマンド信号を生成するために設けられ、
応答信号検出手段が応答信号を検出するために設けられ、前記応答信号は、受信された前記インベントリ・コマンド信号に応答して前記トランスポンダによって生成され且つ発信されると共に、前記局送信手段によって受信され、前記トランスポンダのインベントリを許可し、
正確に受信された応答信号の機能として前記トランスポンダについてインベントリを行うためにインベントリ手段が設けられていることを特徴とする通信局。
【請求項８】
通信局と通信するトランスポンダであって、
信号を送受信するトランスポンダ伝送手段が設けられ、
前記通信局によって生成され且つ発信され、前記トランスポンダ伝送手段によって受信される非変調キャリア信号を検出するキャリア信号検出手段が設けられ、
前記非変調キャリア信号を検出して機能として起動し得る存在情報伝達信号生成手段が存在情報伝達信号を生成するために設けられ、
前記通信局によって生成され且つ発信され、前記トランスポンダ伝送手段によって受信されるインベントリ・コマンド信号を検出するインベントリ・コマンド信号検出手段が設けられ、
前記インベントリ・コマンド信号を検出して機能として起動し得る応答信号生成手段が前記トランスポンダの前記インベントリを許可する応答信号を生成するために設けられていることを特徴とするトランスポンダ。
【請求項９】
前記トランスポンダは、存在情報伝達信号を生成するための第１の信号持続時間と、応答信号を生成するための第２の信号持続時間とを有するように設計され、前記第１の信号持続時間が前記第２の信号持続時間より短いことを特徴とする請求項８に記載のトランスポンダ。
【請求項１０】
前記第１の信号持続時間と前記第２の信号持続時間とは、１：Ｘの比を有し、前記Ｘの値がＸ＝１０〜Ｘ＝１００の範囲にあることを特徴とする請求項９に記載のトランスポンダ。
【請求項１１】
前記Ｘの値は、Ｘ＝２０〜Ｘ＝３５の範囲にあることを特徴とする請求項１０に記載のトランスポンダ。
【請求項１２】
前記トランスポンダは、第１の伝送パラメータを有する存在情報伝達信号を生成し、第２の伝送パラメータを有する応答信号を生成するように設計されることを特徴とする請求項８に記載のトランスポンダ。
【請求項１３】
前記第１の伝送パラメータおよび前記第２の伝送パラメータはそれぞれ、各サブキャリア信号の２つの異なるサブキャリア周波数のうちの１つによって形成されることを特徴とする請求項１２に記載のトランスポンダ。
【請求項１４】
通信局と通信するトランスポンダ用の集積回路であって、
信号を送受信する少なくとも１つの接続が設けられ、
前記通信局によって生成され且つ発信され、前記少なくとも１つの接続を介して受信される非変調キャリア信号を検出するキャリア信号検出手段が設けられ、
前記非変調キャリア信号を検出して機能として起動し得る存在情報伝達信号生成手段が存在情報伝達信号を生成するために設けられ、
前記通信局によって生成され且つ発信され、前記少なくとも１つの接続を介して受信されるインベントリ・コマンド信号を検出するインベントリ・コマンド信号検出手段が設けられ、
前記インベントリ・コマンド信号を検出して機能として起動し得る応答信号生成手段が前記トランスポンダのインベントリを許可する応答信号を生成するために設けられていることを特徴とする集積回路。
【請求項１５】
前記集積回路が、存在情報伝達信号を生成するための第１の信号持続時間と、応答信号を生成するための第２の信号持続時間とを有するように設計され、前記第１の信号持続時間が前記第２の信号持続時間より短いことを特徴とする請求項１４に記載の集積回路。
【請求項１６】
前記第１の信号持続時間と前記第２の信号持続時間とが１：Ｘの比を有し、前記Ｘの値がＸ＝１０〜Ｘ＝１００の範囲にあることを特徴とする請求項１５に記載の集積回路。
【請求項１７】
前記Ｘの値がＸ＝２０〜Ｘ＝３５の範囲にあることを特徴とする請求項１６に記載の集積回路。
【請求項１８】
前記集積回路が、第１の伝送パラメータを有する存在情報伝達信号を生成し、第２の伝送パラメータを有する応答信号を生成するように設計されることを特徴とする請求項１４に記載の集積回路。
【請求項１９】
前記第１の伝送パラメータおよび前記第２の伝送パラメータがそれぞれ、各サブキャリア信号の２つの異なるサブキャリア周波数のうちの１つによって形成されることを特徴とする請求項１８に記載の集積回路。
【発明の詳細な説明】
【技術分野】
【０００１】
本発明は、少なくとも１つのトランスポンダを通信局によってインベントリを行う（inventorying）方法に関する。該通信局は通信範囲において非変調キャリア信号を発信し、その後トランスポンダは、通信範囲内にトランスポンダのインベントリを許可する応答信号を発信する。
【０００２】
本発明はさらに、少なくとも１つのトランスポンダと通信し、少なくとも１つのトランスポンダについてインベントリを行う通信局に関する。該通信局には、信号を送受信する局送信手段と非変調キャリア信号を生成する信号生成手段とが設けられ、非変調キャリア信号は局送信手段によって通信範囲内に発信される。
【０００３】
本発明はさらに、通信局と通信するトランスポンダに関する。該トランスポンダには、信号を送受信するトランスポンダ送信手段と、通信局によって生成及び発信され、トランスポンダ送信手段によって受信される非変調キャリア信号を検出するキャリア信号検出手段と、トランスポンダのインベントリを許可する応答信号を生成するために設けられ活性化される応答信号生成手段と、が設けられている。
【０００４】
本発明はさらに、通信局と通信するトランスポンダ用の集積回路に関し、該集積回路には、信号を送受信する少なくとも１つの接続と、通信局によって生成され且つ発信され、少なくとも１つの接続を介して受信される非変調キャリア信号を検出するキャリア信号検出手段と、トランスポンダのインベントリを許可する応答信号を生成するために設けられ活性化される応答信号生成手段と、が設けられている。
【背景技術】
【０００５】
第１段落に記載した段階を含む方法と、第２段落に記載したタイプの通信局と、第３段落に記載したタイプのトランスポンダと、第４段落に記載したタイプの集積回路は多様なタイプのものが市販されており、公知である。
【０００６】
公知の方法はいわゆるＴＴＦ方式である。ＴＴＦは “Tag Talks First”の略語である。公知のＴＴＦ方式では通信局は非変調キャリア信号をコンスタントに発信し、該非変調キャリア信号はその後いかなる側帯波も引き起こさず、通信局の通信範囲に存在する或いは前記通信範囲に入る各トランスポンダは直ちにこの非変調のキャリア信号を受信し、該非変調キャリア信号は各トランスポンダ内で使用されて対象とするトランスポンダにエネルギー供給する。トランスポンダに十分なエネルギー供給が行われるとすぐに、トランスポンダは直ちに或いは一定時間の遅延を伴って通信範囲内で応答信号を発信し、続いてこの応答信号は通信局に伝送される。この方法はインベントリ処理時間が短いという点で有利である。応答信号は、各トランスポンダ特有のものであり且つ各トランスポンダにとって重要な、当該トランスポンダのいわゆるシリアル番号を含んでいるため、応答信号により各トランスポンダのインベントリが可能となる。応答信号は、クライアント固有のクライアントデータから形成されてもよい。通信局の通信範囲に存在する全てのトランスポンダから概して非常に速やかに入ってくる応答信号は、インベントリ手続−しばしば衝突防止手続とも呼ばれる−の過程において、これらのトランスポンダのインベントリを行うために処理される。しかし、周知のＴＴＦ方式では、通信局の通信範囲に複数のトランスポンダが存在する場合に、インベントリ手続によって満足のいく結果が得られないという問題がある。なぜなら、通信範囲に存在するトランスポンダが互いに非同期的に、かつ突然に応答信号を発するため、通信局によって受信される応答信号が互いにオーバーラップして衝突が生じ、その結果、応答信号が明確且つ正確に検出されることができないからである。従って、インベントリ手続がさらに少なくとも１つ、乃至はさらにそれより多数必要となる。これは、インベントリ全体が非常に長い時間を要すること、又はトランスポンダが全くインベントリされることができないことを意味する。例えば、トランスポンダがそれぞれ１つのスーツケースに接続されて、回転テーブルによって通信局の通信範囲を移動しているようなものである。実際に、周知のＴＴＦ方式では、通信局の通信範囲に存在するトランスポンダが複数与えられた場合に正確にインベントリを行うことができない。これは、通信範囲に存在するトランスポンダは非常に迅速にその応答信号を生成するものの、通信局に対し古いものから順には生成および伝送されないことに起因する。
【０００７】
前述の問題を回避するために、いわゆるＲＴＦ方式が既に提案されている。ＲＴＦは“Reader Talks First”の略である。いわゆるＲＴＦ方式では、通信局は周期的にインベントリ・コマンド信号を発するが、インベントリ・コマンド信号を発信するための選択繰返し周波数が非常に高いため、通信局の通信範囲に入る各トランスポンダは、通信範囲に入った後できるだけ早くインベントリ・コマンド信号を受信し、続いてその応答信号、即ち全てのシリアル番号を通信局に伝送する。応答信号の発信は、この場合では有利なことに、インベントリ・コマンド信号により決定されるため、応答信号同士の望ましくない衝突は容易且つ確実に回避される。しかしこのＲＴＦ方式では、通信局が周期的な間隔でインベントリ・コマンド信号を生成及び発信し、インベントリ・コマンドによって信号が符号化され且つ変調されるという問題が生じる。インベントリ・コマンド信号を周期的に繰り返し生成することは「ポーリング」とも呼ばれるが、これでは側波帯が大きな振幅を有することになり、キャリア信号伝送プロセスでは公式な規格（official regulation）が側波帯の振幅を制限しているため不利である。
【発明の開示】
【発明が解決しようとする課題】
【０００８】
本発明の目的は、前述の問題を解消し、改良された方法、改良された通信局、改良されたトランスポンダ、及び改良された集積回路を提供することである。
【課題を解決するための手段】
【０００９】
前記目的を達成するために、本発明による方法では本発明による特徴は、以下のように本発明による方法が特徴づけられるように提供される：
【００１０】
通信局により少なくとも一つのトランスポンダのインベントリを行う方法であって、通信局は通信範囲において非変調キャリア信号を発信し、トランスポンダは通信範囲に入ったときに通信範囲において存在情報伝達信号を発信し、通信局は存在情報伝達信号を受信すると通信範囲においてインベントリ・コマンド信号を発信し、トランスポンダはインベントリ・コマンド信号を受信すると通信範囲においてトランスポンダのインベントリを許可する応答信号を発信し、通信局が前記応答信号を正確に受信するとトランスポンダのインベントリを実行する。
【００１１】
前述の目的を達成するために、本発明による通信局には、本発明による特徴が提供される。それによって、本発明による通信局は以下のように特徴づけられる：
【００１２】
少なくとも一つのトランスポンダと通信し、少なくとも一つのトランスポンダをインベントリを行う通信局であって、信号を送受信する局送信手段が設けられ、非変調キャリア信号を生成するキャリア信号生成手段が設けられ、該非変調キャリア信号は通信範囲において局送信手段によって発信され、トランスポンダによって生成され且つ発信され、局送信手段によって受信される存在情報伝達信号を検出する存在情報伝達検出手段が設けられ、存在情報伝達信号を検出して機能として起動し得るインベントリ・コマンド信号生成手段がインベントリ・コマンド信号を生成するために設けられ、応答信号検出手段が応答信号を検出するために設けられ、応答信号は、受信されたインベントリ・コマンド信号に応答してトランスポンダによって生成され且つ発信されると共に、局送信手段によって受信され、トランスポンダのインベントリを許可し、正確に受信した応答信号の機能としてトランスポンダについてインベントリを行うためにインベントリ手段を備える。
【００１３】
前述の目的を達成するために、本発明によるトランスポンダには本発明による特徴が提供される。それによって、本発明によるトランスポンダは以下のように特徴づけられる：
【００１４】
通信局と通信するトランスポンダであって、信号を送受信するトランスポンダ伝送手段が設けられ、通信局によって生成され且つ発信され、トランスポンダ伝送手段によって受信される非変調キャリア信号を検出するキャリア信号検出手段が設けられ、非変調キャリア信号を検出して機能として存在情報伝達信号生成手段が存在情報伝達信号を生成するために設けられ、通信局により生成され且つ発信され、トランスポンダ伝送手段によって受信されるインベントリ・コマンド信号を検出するインベントリ・コマンド信号検出手段が設けられ、インベントリ・コマンド信号を検出して機能として起動し得る応答信号生成手段がトランスポンダのインベントリを許可する応答信号を生成するために設けられている。
【００１５】
前述の目的を達成するために、本発明による集積回路には本発明による特徴が提供される。それによって、本発明による集積回路は以下のような特徴を有する：
【００１６】
通信局と通信するトランスポンダ用の集積回路であって、信号を送受信する少なくとも一つの接続が設けられ、通信局によって生成され且つ発信され、少なくとも一つの接続を介して受信される非変調キャリア信号を検出するキャリア信号検出手段が設けられ、非変調キャリア信号を検出して機能として起動し得る存在情報伝達信号生成手段が存在情報伝達信号を生成するために設けられ、通信局により生成され且つ発信され、少なくとも一つの接続を介して受信されるインベントリ・コマンド信号を検出するインベントリ・コマンド信号検出手段が設けられ、インベントリ・コマンド信号を検出して機能として起動し得る応答信号生成手段がトランスポンダのインベントリを行うことを許可する応答信号を生成するために設けられている。
【００１７】
回路に関しては、本発明による特徴が提供されることにより、多少の追加コストがかかるだけで、本発明に従った解決策では、周知のＴＴＦ方式の利点と周知のＲＴＦ方式の利点を有利に組み合わせ、周知のＴＴＦ方式の不利な点と周知のＲＴＦの不利な点を有利に回避できる単純な方法が示される。周知の解決策では、トランスポンダがその存在情報伝達信号を直ちに発信するため、通信局の通信範囲に入るトランスポンダによって非常に迅速な応答がなされるが、通信局はインベントリ・コマンド信号を周期的には発信せず、存在情報伝達信号の受信時のみに発信するため、非常に低い側波帯振幅値が保証されるにすぎない。
【００１８】
本発明による方法では、請求項２、請求項３又は請求項４に記載の特徴をさらに提供した場合に、非常に有利であることがわかった。存在情報伝達信号が短いということで、インベントリ・コマンド信号が生成及び発信される前に通信局が存在情報伝達信号を受信するまでの待機時間が短時間ですみ、インベントリ時間全体が可能な限り最短となるという点で有利であるため、特に良好な結果が達成される。
【００１９】
本発明による方法では、トランスポンダはただ１つの伝送パラメータによって通信局に存在情報伝達信号とその応答信号とを伝送することが可能である。しかし、トランスポンダが第１の伝送パラメータによって存在情報伝達信号を発信し、第２の伝送パラメータによって応答信号を発信する場合に特に有利であることが判明した。このようにすることで、存在情報伝達信号と応答信号が互いに確実に区別又は分離されることが可能となる。
【００２０】
前の段落で述べた方法では、各サブキャリア信号の２つの異なるサブキャリア周波数のうちの１つを使用した場合に特に有効であることが判明した。２つの異なるサブキャリア周波数の１つは第１の伝送パラメータであり、もう１つは第２の伝送パラメータである。このようにすることで、存在情報伝達信号と応答信号とが特に単純な方法で区別及び分離される。しかし、異なる伝送パラメータとして符号化する２つの異なる方法を用いることも可能である。
【００２１】
本発明の前述の態様及びさらなる態様は、以下に記載されている実施形態の例から明らかになり、この実施形態の例を参照しつつ説明される。
【００２２】
図面に示す実施形態の例を参照しつつ、本発明をさらに説明するが、本発明はそれに限定されない。
【発明の実施形態】
【００２３】
図１は通信局１を示し、図２はトランスポンダ２を示す。トランスポンダ２は集積回路３を含む。通信局１及びトランスポンダ２は、互いに非接触通信するように設計されている。通信局１はまた、トランスポンダ２のインベントリを行うように設計される。普通の用途では、複数のトランスポンダ２が通信局１と通信し、トランスポンダ２は通信局１の通信範囲内に位置づけられる。各トランスポンダ２に含まれるデータを読み出し、各トランスポンダ２にデータを書き込むことが可能になる前に、トランスポンダ２と非接触通信状態にある通信局１によって、複数のトランスポンダ２のいわゆるインベントリが行われなければならない。このようなインベントリの過程において、各トランスポンダ２に対して、当該トランスポンダ２の重要な識別データＩＤが当該トランスポンダ２からの応答信号ＲＥＳＰＳによって通信局１に伝送され、これらのデータは通信局１に格納される。その結果、通信局１２と通信する全てのトランスポンダ２の識別データＩＤを通信局１が把握することとなり、通信局１がトランスポンダ２に対して有効な識別データＩＤを使用して、例えば当該トランスポンダ２から有用なデータを読み出したり、当該トランスポンダ２に有用なデータを格納することができるように、明確に且つ間違いを起こすことなく当該トランスポンダ２と通信することができる。
【００２４】
通信局１はマイクロコンピュータ４を含む。マイクロコンピュータ４の代わりにハードウェアによるロジック回路が設けられてもよい。通信局１はさらに水晶発振子５を含み、水晶発信子５によりクロック信号ＣＬＫが生成され、クロック信号ＣＬＫはマイクロコンピュータ４に送られる。マイクロコンピュータ４はバス接続６を介して、図１では図示しないホストコンピュータに接続され、これによりホストコンピュータとマイクロコンピュータ４とのデータの交換が可能である。マイクロコンピュータ４は手段の配列及び機能を提供するように作用するが、ここでは必要な手段及び機能についてのみ、さらに説明する。
【００２５】
マイクロコンピュータ４は、マイクロコンピュータ４において実行可能なシーケンスを制御できるシーケンス制御手段７を含む。マイクロコンピュータ４は、該シーケンス制御手段７の一部としていわゆるインベントリ手段７Ａを含む。マイクロコンピュータ４はさらに、特にインベントリ・コマンド信号生成手段を形成するコマンド信号生成手段８、存在情報伝達信号検出手段９、応答信号検出手段１０、符号化手段１１、第１の復号化手段１２、及び第２の復号化手段１３を含む。マイクロコンピュータ４はまた、一連の他の信号生成手段及び信号検出手段を含むが、本明細書中ではこれらについてのさらなる説明は行わない。
【００２６】
存在情報伝達信号検出手段９は、トランスポンダ２によって生成され且つ発信されると共に通信局１において受信される存在情報伝達信号ＰＲＥＳを検出するように作用する。コマンド信号生成手段８におけるインベントリ・コマンド信号生成手段は、存在情報伝達信号検出手段９によって実行される存在情報伝達信号ＰＲＥＳを検出して機能として起動可能であると共に、インベントリ・コマンド信号ＩＮＶＳを生成するように作用する。インベントリ・コマンド生成手段は、シーケンス制御手段７によって起動される。応答信号検出手段１０は応答信号ＲＥＳＰＳを検出するように作用する。該応答信号ＲＥＳＰＳは、トランスポンダ２において受信されたインベントリ・コマンド信号ＩＮＶＳに応答して、トランスポンダ２によって生成され且つ発信され、通信局１において受信し、前記信号に含まれる識別データＩＤとともにトランスポンダ２のインベントリを許可する。応答信号検出手段１０は、ほぼ同時に伝送される、少なくとも２つの応答信号ＲＥＳＰＳ同士の衝突を検出するように作用する衝突検出手段（図示せず）を含む。インベントリ手段７Ａは、応答信号ＲＥＳＰＳが正確に受信された機能として、トランスポンダ２のインベントリを行うように意図及び設計されている。符号化手段１１は、符号化手段１１に送られた信号を符号化するように作用するため、インベントリ・コマンド信号ＩＮＶＳを符号化するようにも作用する。符号化後、符号化手段１１は自身に送られた信号を正当に符号化した信号、例えば符号化されたインベントリ・コマンド信号ＣＩＮＶＳを発信する。第１の復号化手段１２は、自身に送られた符号化存在情報伝達信号ＣＰＲＥＳを復号化するように作用する。復号化した後、第１の復号化手段１２は復号化された存在情報伝達信号ＰＲＥＳを発信する。第２の復号化手段１３は、自身に送られた符号化応答信号ＣＲＥＳＰＳを復号化するように作用する。復号化した後、第２の復号化手段１３は復号化された応答信号ＲＥＳＰＳを発信する。
【００２７】
通信局１はさらに変調手段１４を含み、符号化手段１１によって生成された符号化コマンド信号、例えば符号化されたインベントリ・コマンド信号ＣＩＮＶＳが前記変調手段１４に伝送され得る。また変調手段１４には、非変調キャリア信号ＮＭＣＳもさらに供給され得る。非変調キャリア信号ＮＭＣＳを生成するために、通信局１はキャリア信号生成手段１５、即ちキャリア信号生成装置１５を含み、該キャリア信号生成装置１５には、水晶発振子５からクロック信号ＣＬＫが供給され、該生成装置１５はこのクロック信号ＣＬＫを使用して非変調キャリア信号ＮＭＣＳを生成する。伝送された符号化コマンド信号を使用して、変調手段１４は非変調キャリア信号ＮＭＣＳを変調することができ、変調した後、変調手段１４は変調符号化コマンド信号、例えば変調符号化インベントリ・コマンド信号ＭＣＩＮＶＳを発信する。変調符号化コマンド信号は、変調符号化コマンド信号を増幅する増幅手段１６に供給され得る。符号化されたコマンド信号を用いた非変調キャリア信号ＮＭＣＳの前記変調は、通信局１からトランスポンダ２へのコマンド信号の伝送が必要とされる場合に実行される。トランスポンダ２から通信局１への信号の伝送が必要とされる場合には、キャリア信号生成装置１５によって生成された非変調キャリア信号ＮＭＣＳは、変調手段１４から増幅手段１６へと非変調状態で送られる。変調符号化コマンド信号と非変調キャリア信号ＮＭＣＳはともに、増幅手段１６から信号マッチング手段１７に送られ、信号マッチング手段１７は、自身に伝送された変調符号化コマンド信号および非変調キャリア信号ＮＭＣＳを局送信手段１８に伝達する。該局送信手段１８は本例では伝送コイル１９を含む。伝送コイル１９は誘導的であるように意図される。即ち、トランスポンダ２の伝送コイルと相互結合される。伝送コイル１６の代わりに、局送信手段１８は伝送目的でダイポールを有してもよい。局送信手段１８が伝送コイル１９又はダイポールを有する代わりに、容量的或いは光学的原理で作用する局送信手段が設けられても良い。局送信手段１８は、通信局１の通信範囲において非変調キャリア信号ＮＭＣＳを発信するように作用する。
【００２８】
局送信手段１８は、信号を発信するように、即ち、例えば、通信局１から通信局１の通信範囲に存在するトランスポンダ２へとコマンド信号を伝送するように作用するだけでなく、関連のトランスポンダ２から通信局１へと伝送される信号を受信するようにも作用する。例えば、識別データＩＤを含む存在情報伝達信号ＰＲＥＳ及び応答信号ＲＥＳＰＳは、トランスポンダ２から通信局１へと伝送される。これらの信号ＰＲＥＳ及びＲＥＳＰＳは符号化された状態で伝送され、それによって、符号化信号ＣＰＲＥＳ及びＣＲＥＳＰＳが得られると共に、２８３ｋＨｚと４２４ｋＨｚの異なるサブキャリア周波数を有する２つのサブキャリア信号ＳＣＳ１及びＳＣＳ２が符号化信号ＣＰＲＥＳ及びＣＲＥＳＰＳを用いて変調されて、それにより、変調符号化信号ＭＣＰＲＥＳ及びＭＣＲＥＳＰＳが局送信手段１８によって受信される。
【００２９】
受信された変調存在情報伝達信号ＭＣＰＲＥＳが、局送信手段１８から信号マッチング手段１７を介して第１のフィルタ手段２０に供給される。第１のフィルタ手段２０は、２８３ｋＨｚの第１のサブキャリア周波数に調整され、他の周波数位置にある信号と干渉成分をフィルタ処理により除去し、干渉除去された変調符号化存在情報伝達信号ＭＣＰＲＥＳを第１の復調手段２１に伝送する。第１の復調手段２１は、自己に供給された変調符号化存在情報伝達信号ＭＣＰＲＥＳを復調するように設計されている。変調符号化存在情報伝達信号ＭＣＰＲＥＳを復調した後、第１の復調手段２１は第１の復号化手段１２に符号化存在情報伝達信号ＣＰＲＥＳを伝送する。伝送された符号化存在情報伝達信号ＣＰＲＥＳを増幅する増幅手段は第１の復調手段２１の出力側にも接続さてよい。さらにフィルタ処理を実行し、フィルタ処理後第１の復号化手段１２に符号化存在情報伝達信号ＣＰＲＥＳを伝送する、更なるフィルタ処理手段が、これらの増幅手段の出力側に接続されてもよい。
【００３０】
受信された変調応答信号ＭＣＲＥＳＰＳは局送信手段１８から信号マッチング手段１７を介して第２のフィルタ手段２２に送られる。第２のフィルタ手段２２は、４２４ｋＨｚの第２のサブキャリア周波数に調整されており、他の周波数位置にある信号と干渉成分とをフィルタ処理により除去し、干渉除去された変調符号化存在情報伝達信号ＭＣＲＥＳＰＳを第２の復調手段２３に伝送する。第２の復調手段２３は、自己に供給された変調符号化存在情報伝達信号ＭＣＲＥＳＰＳを復調するように設計されている。変調符号化存在情報伝達信号ＭＣＰＲＥＳを復調した後、第２の復調手段２３は第２の復号化手段１３に符号化存在情報伝達信号ＣＲＥＳＰＳを伝送する。伝送された符号化存在情報伝達信号ＣＲＥＳＰＳを増幅する増幅手段が第２の復調手段２３の出力側にも接続されてよい。さらにフィルタ処理を実行し、フィルタ処理後に第２の復号化手段１３に符号化存在情報伝達信号ＣＲＥＳＰＳを伝送する更なるフィルタ処理手段が、これらの増幅手段の出力側に接続されてもよい。
【００３１】
第２の復号化手段１３では、符号化応答信号ＣＲＥＳＰＳが復号化され、復号化手段１３は復号化後、応答信号ＲＥＳＰＳを応答信号検出手段１０に伝送する。応答信号検出手段１０は、応答信号ＲＥＳＰＳの正確な受信と、衝突の影響を受けやすい受信、即ち応答信号ＲＥＳＰＳの不正確な受信との両方を検出するように作用する。応答信号ＲＥＳＰＳの衝突が検出されると、シーケンス制御手段７によって新たなインベントリ手続が開始される。応答信号ＲＥＳＰＳの正確な受信を検出した場合には、正確に受信された応答信号ＲＥＳＰＳに含まれる識別データＩＤがインベントリ手段７Ａに伝送される。インベントリデータＩＤは、応答信号ＲＥＳＰＳが通信局１において正確に受信された当該トランスポンダのインベントリを行うために使用される。インベントリ手段７Ａは、例えば識別データＩＤの格納や、認証コマンド信号、読出しコマンド信号、書込みコマンド信号等のコマンド信号の生成の開始など、当業者には周知の機能及びシーケンスを実行するために用いられる。
【００３２】
既に述べた通り、通信局１は複数のトランスポンダ２と非接触通信するように意図及び設計されている。トランスポンダ２は同一の設計からなり、その設計について図２に示すトランスポンダ２を参照して以下に説明する。また、トランスポンダ２は、通信局１と通信するように意図及び設計されている。
【００３３】
集積回路３に加えて、トランスポンダ２は、第１の接続２６と第２の接続２７とによって集積回路３に接続される伝送コイル２５を含む。伝送コイル２５により、トランスポンダ２は通信局１の伝送コイル１９を介して通信局１と非接触手段によって通信することができる。集積回路３に含まれるキャパシタ２８は、伝送コイル２５に並列接続される。伝送コイル２５及びキャパシタ２８は、動作周波数に調整されると共にトランスポンダ伝送手段２９の不可欠な部分を成す発振回路を形成する。トランスポンダ伝送手段２９は、伝送コイル２５の代わりに、伝送目的でダイポールを有してもよい。トランスポンダ伝送手段２９が伝送コイル２５又はダイポールを有する代わりに、誘電的に或いは光学的原理で動作するトランスポンダ伝送手段が設けられてもよい。
【００３４】
トランスポンダ２の集積回路３と結果的にトランスポンダ２は、供給電圧生成手段３０、クロック信号再生手段３１、復調手段３２、及び変調手段３３を含む。これら４つの手段３０、３１、３２および３３はそれぞれトランスポンダ伝送手段２９に接続される。
【００３５】
供給電圧生成手段３０は、トランスポンダ伝送手段２９によって供給電圧生成手段３０に伝送された信号を用いて、即ち、例えば変調符号化コマンド信号や非変調キャリア信号ＮＭＣＳを用いて、供給電圧Ｖを生成するように作用する。供給電圧生成手段３０によって生成され得る供給電圧Ｖは、この供給電圧Ｖを必要とする集積回路３の不可欠な部分全てに供給され得るが、このことについて図２では特に示していない。
【００３６】
供給電圧生成手段３０には「パワーオン」検出手段３４が接続され、該手段３４には供給電圧生成手段３０の出力信号、即ち常に生成される供給電圧Ｖが供給され得る。「パワーオン」検出手段３４は、十分に高い供給電圧Ｖが利用できるか否かを検出するように作用する。かかる十分に高い供給電圧Ｖを利用できる場合には、「パワーオン」検出手段３４はいわゆる「パワーオンリセット」信号ＰＯＲを発信する。
【００３７】
供給電圧生成手段３０および「パワーオン」検出手段３４が一緒になって、キャリア信号検出手段４６を形成する。キャリア信号検出手段４６は、通信局１によって生成され且つ発信されると共にトランスポンダ伝送手段２９によって受信され、集積回路３内の２つの接続２６および２７を介して受信される非変調キャリア信号ＮＭＣＳを検出するように意図される。しかし、キャリア信号検出手段４６は、例えば変調符号化インベントリ・コマンド信号ＭＣＩＮＶＳ等の変調キャリア信号の受信を検出するようにも作用する。
【００３８】
クロック信号再生手段３１は、トランスポンダ伝送手段２９によって発信された信号を用いて、即ち、例えば変調符号化コマンド信号や非変調キャリア信号ＮＭＣＳ等の信号を用いて、クロック信号ＣＬＫを再生するように作用する。クロック信号再生手段３１はクロック信号ＣＬＫを発信する。クロック信号再生手段３１の代わりに、トランスポンダ伝送手段２９によって発信される信号とは関係のない内部発振装置を設け、この内部発振装置によりクロック信号ＣＬＫが生成されるようにしてもよい。内部発振装置は、通信局とトランスポンダとの間の通信が非常に高い動作周波数、例えばいわゆるＵＨＦ範囲又はマイクロ波範囲の動作周波数で生じた場合に特に有利である。
【００３９】
復調手段３２は、自己に供給されたコマンド信号を復調する、即ち、例えば変調符号化インベントリ・コマンド信号ＭＣＩＮＶＳを復調するように作用する。変調符号化インベントリ・コマンド信号ＭＣＩＮＶＳの復調に続いて、復調手段３２は符号化インベントリ・コマンド信号ＣＩＮＶＳを発信する。
【００４０】
変調手段３３は、例えば符号化存在情報伝達信号ＣＰＲＥＳの変調や符号化応答信号ＣＲＥＳＰＳの変調など、変調手段３３に供給され得る信号の変調を行うように作用する。さらに、第１のサブキャリア周波数２８３ｋＨｚを有する第１のサブキャリア信号ＳＣＳ１と、第２のサブキャリア周波数４２４ｋＨｚを有する第２のサブキャリア信号ＳＣＳ２とが、交互に変調手段３３に供給されてもよい。第１のサブキャリア信号ＳＣＳ１を生成するために、第１のサブキャリア信号生成装置３５が設けられ、クロック信号再生手段３１からのクロック信号ＣＬＫが該第１のサブキャリア信号生成装置３５に供給されてよく、第１のサブキャリア信号生成装置３５はクロック信号ＣＬＫを用いて第１のサブキャリア信号ＳＣＳ１を生成する。第２のサブキャリア信号ＳＣＳ２を生成するために、第２のサブキャリア信号生成装置３６が設けられ、クロック信号再生手段３１からのクロック信号ＣＬＫが同様に該第２のサブキャリア信号生成装置３６に供給され、第２のサブキャリア信号生成装置３６はクロック信号ＣＬＫを用いて第２のサブキャリア信号ＳＣＳ２を生成する。２つのサブキャリア生成装置３５及び３６の出力側には、サブキャリア信号スイッチング手段４８が接続されている。該サブキャリア信号スイッチング手段４８には、２つの異なる信号状態を有する制御信号ＣＳ１が供給され、供給される制御信号ＣＳ１の信号状態に依存して、第１のサブキャリア信号ＳＣＳ１又は第２のサブキャリア信号ＳＣＳ２のいずれかが、手段４８により変調手段３３に供給され得る。
【００４１】
符号化存在情報伝達信号ＣＰＲＥＳの機能として変調が実行される場合は、符号化存在情報伝達信号ＣＰＲＥＳの機能として第１のサブキャリア信号ＳＣＳ１は変調手段３３に供給され、変調手段３３によって変調される。その結果、変調手段３３は変調符号化存在情報伝達信号ＭＣＰＲＥＳを発信し、続いて該信号ＭＣＰＲＥＳは、トランスポンダ伝送手段２９によって、この場合特に伝送コイル２５によって通信局１に伝送される。
【００４２】
符号化応答信号ＣＲＥＳＰＳの機能として変調が実行される場合は、符号化応答信号ＣＲＥＳＰＳの機能として第２のサブキャリア信号ＳＣＳ２が変調手段３３に送られ、変調手段３３によって変調される。その結果、変調手段３３は変調符号化応答信号ＭＣＲＥＳＰＳを発信し、続いて該信号ＭＣＲＥＳＰＳは、トランスポンダ伝送手段２９によって、この場合特に伝送コイル２５によって通信局１に伝送される。
【００４３】
従ってトランスポンダ２は、第１の伝送パラメータを有する、即ち、第１のサブキャリア周波数８４８ｋＨｚを有する変調符号化存在情報伝達信号ＭＣＰＲＥＳを生成するように設計されていると共に、第２の伝送パラメータを有する、即ち、第２のサブキャリア周波数４２４ｋＨｚを有する変調符号化応答信号ＭＣＲＥＳＰＳを生成するように設計されている。
【００４４】
トランスポンダ２の集積回路３および結果的にトランスポンダ２は、マイクロコンピュータ３７を含む。マイクロコンピュータ３７の代わりにハードウェアによるロジック回路が設けられてもよい。マイクロコンピュータ３７は多くの手段と機能を提供するが、しかし、本発明の内容に必要な手段及び機能のみを以下に説明する。「パワーオンリセット」信号ＰＯＲ及びクロック信号ＣＬＫは、当業者には周知の目的のために、マイクロコンピュータ３７に供給することができる。
【００４５】
集積回路３はさらに、接続３９を介してマイクロコンピュータ３７に接続された記憶手段３８を含む。記憶手段３８は複数の記憶領域を含むが、そのうちの１つのみを記憶領域４０として一点鎖線で図示する。トランスポンダ２特有の識別データＩＤは記憶領域４０に記憶されている。さらなる説明は行わないが、一連の他のデータも、記憶手段３８に記憶される。
【００４６】
マイクロコンピュータ３７は復号化手段４１及び符号化手段４２を提供する。復号化手段４１は、自己に供給されたコマンド信号を復号化するように、即ち符号化インベントリ・コマンド信号ＣＩＮＶＳを復号化するように意図されている。符号化コマンド信号を復号化した後、復号化手段４０は、例えばインベントリ・コマンド信号ＩＮＶＳ等の復号化されたコマンド信号を発信する。符号化手段４２は、例えば応答信号ＲＥＳＰＳ等の信号を符号化するように作用する。応答信号ＲＥＳＰＳを符号化した後、符号化手段４２は符号化応答信号ＣＲＥＳＰＳを発信する。
【００４７】
マイクロコンピュータ３７はさらに、インベントリ・コマンド信号検出手段４３、存在情報伝達信号生成手段４４、及び応答信号生成手段４５を提供する。手段４３、４４および４５の機能について以下により詳細に検討する。マイクロコンピュータ３７はさらに、マイクロコンピュータ３７において実行可能なシーケンスを制御するように作用するシーケンス制御手段４６を含む。
【００４８】
インベントリ・コマンド信号検出手段４３は、通信局１によって生成され且つ発信されると共に、トランスポンダ伝送手段２９によって受信され、接続２６及び２７を介して集積回路３に送られ、インベントリ・コマンド信号検出手段４３に伝送されるインベントリ・コマンド信号ＩＮＶＳを検出するように意図及び設計されている。インベントリ・コマンド信号検出手段４３がインベントリ・コマンド信号ＩＮＶＳを検出すると、インベントリ・コマンド信号検出手段４３は制御情報を発信する。このことについて、以下により詳細に検討する。
【００４９】
存在情報伝達信号生成手段４４は、キャリア信号検出手段４６によって実行された非変調キャリア信号ＮＭＣＳを検出して機能として起動でき、存在情報伝達信号ＰＲＥＳを生成するように意図及び設計されている。存在情報伝達信号生成手段４４はシーケンス制御手段４６によって起動される。存在情報伝達信号ＰＲＥＳは比較的短い信号であり、数ビット長のビットシーケンスによって形成される。しかし、存在情報伝達信号ＰＲＥＳは、いわゆるバーストによって、或いはいわゆるコード侵害によっても形成され得る。この信号もシングルビットよりなるが、干渉の影響を比較的受け易い。存在情報伝達信号ＰＲＥＳは、通信局１の通信範囲内におけるトランスポンダ２の存在を非常に迅速に通信局１に知らせるように作用する。存在情報伝達信号ＰＲＥＳは、約７５．０マイクロ秒の信号持続時間を有する。
【００５０】
応答信号生成手段４５は、インベントリ・コマンド信号検出手段４３によって実行されるインベントリ・コマンド信号ＩＮＳを検出して機能として起動可能であると共に、応答信号ＲＥＳＰＳを生成するように意図及び設計される。応答信号生成手段４５は、シーケンス制御手段４６によって起動される。応答信号ＲＥＳＰＳを生成することを可能とするために、記憶手段３８の記憶領域４０から読み出された識別データＩＤは応答信号生成手段４５に供給される。応答信号ＲＥＳＰＳは、識別データＩＤと、例えばセキュリティデータ等の付加的なデータとによって生成される。応答信号ＲＥＳＰＳは、比較的長い持続時間からなる信号である。なぜなら、応答信号ＲＥＳＰＳは識別データＩＤと、例えばセキュリティデータ等の付加データを含むためであり、それによって、応答信号ＲＥＳＰＳは、例えばトータルで１６バイトからなることもある。しかし、応答信号ＲＥＳＰＳは８バイトからなる場合や６４バイトからなる場合もある。本実施形態では、応答信号ＲＥＳＰＳは約２．１９ミリ秒の信号持続時間を有する。識別データＩＤを含み応答信号生成手段４５によって生成された応答信号ＲＥＳＰＳは、インベントリの目的でトランスポンダ２から通信局１に伝送されなければならず、通信局１によるトランスポンダ２のインベントリを可能にする。
【００５１】
従って、本実施形態では、トランスポンダ２は第１の信号持続時間を有する存在情報伝達信号ＰＲＥＳを生成するとともに、第２の信号持続時間を有する応答信号ＲＥＳＰＳを生成するように設計される。第１の信号持続時間は第２の信号持続時間より短い。第１の信号持続時間と第２の信号持続時間とは１：Ｘの比を有するように設計され、Ｘ＝２９という値を選択した場合が特に有利である。
【００５２】
本実施形態では、通信局１及びトランスポンダ２は、トランスポンダ２のインベントリにおいて、インベントリのシーケンスが連続して実行されるように設計され、各インベントリシーケンスの過程において多くのタイムスロットが決定される。タイムスロット選択手段は、どのタイムスロットにおいて応答信号ＲＥＳＰＳが応答信号生成手段４５から符号化信号４２に伝送され、結果的に、変調手段３３に供給されて、それによりトランスポンダ２から通信局１へと伝送されたことを決定するように作用する。従ってタイムスロット選択手段は、複数のタイムスロットから１つのタイムスロットを選択することができ、選択されたタイムスロットを用いて、生成された応答信号ＲＥＳＰＳを通信局１に伝送することができる。
【００５３】
図２によるトランスポンダ２を図１による通信局１によってインベントリを行う方法を以下に示す。
【００５４】
通信局１が起動されるとすぐに、通信局１はキャリア信号生成装置１５によって非変調キャリア信号ＮＭＣＳを生成し、該信号ＮＭＣＳは変調装置１４に供給され、この場合、変調装置１４にはさらなる信号の供給は行われない。その結果、変調装置１４は非変調キャリア信号ＮＭＣＳを増幅手段１６に伝送する。その結果、通信局１は局送信手段１８によって通信局１の通信範囲において非変調キャリア信号ＮＭＣＳを常時発信する。
【００５５】
トランスポンダ２が通信局１の通信範囲に入るとすぐに、トランスポンダ２はトランスポンダ伝送手段２９によって非変調キャリア信号ＮＭＣＳを受信し、その結果、非変調キャリア信号ＮＭＣＳの受信がキャリア信号検出手段４６によって検出されると、キャリア信号検出手段４６はマイクロコンピュータ３７に「パワーオンリセット」信号ＰＯＲを伝送し、マイクロコンピュータ３７において信号ＰＯＲはシーケンス制御手段４６に伝送される。その結果、シーケンス制御手段４６は、第１の制御情報ＣＩ１によって存在情報伝達信号生成手段４４を起動し、それによって、存在情報伝達信号生成手段４４は存在情報伝達信号ＰＲＥＳを生成し、該信号ＰＲＥＳを符号化手段４２に伝送する。その結果、符号化手段４２は符号化存在情報伝達信号ＣＰＲＥＳを変調手段３３に伝送する。さらに「パワーオンリセット」信号ＰＯＲがシーケンス制御手段４６に伝送されると、シーケンス制御手段４６は、サブキャリア信号スイッチング手段４８が第１のサブキャリア信号生成装置３５を変調手段３３に接続するという信号状態で制御信号ＣＳ１をサブキャリア信号スイッチング手段４８に伝送する。その結果、サブキャリア周波数８４８ｋＨｚを有する第１のサブキャリア信号ＳＣＳ１が、符号化存在情報伝達信号ＣＰＲＥＳの機能として変調される。その結果、変調手段３３は変調符号化存在情報伝達信号ＭＣＰＲＥＳをトランスポンダ伝送手段２９に伝送する。それによって、トランスポンダ２は、通信局１の通信範囲に入ったとき、通信局１の通信範囲において変調符号化存在情報伝達信号ＭＣＰＲＥＳを発信する。
【００５６】
その結果、通信局１は局送信手段１８によって変調符号化存在情報伝達信号ＭＣＰＲＥＳを受信し、その後、受信された変調符号化存在情報伝達信号ＭＣＰＲＥＳは、信号マッチング手段１７を介して第１のフィルタ手段２０に供給され、これらの第１のフィルタ手段２０はフィルタ処理を施す。続いて、受信された変調存在情報伝達信号ＭＣＰＲＥＳの復調が第１の復調手段２１により実行されると、それによって、第１の復調手段２１は第１の復号化手段１２に符号化存在情報伝達信号ＣＰＲＥＳを伝送する。第１の復号化手段１２は復号化を実行し、その後、第１の復号化手段１２は存在情報伝達信号ＰＲＥＳを存在情報伝達信号検出手段９に伝送する。存在情報伝達信号検出手段９は存在情報伝達信号ＰＲＥＳを検出し、その後、第２の制御情報ＣＩ２をシーケンス制御手段７に伝送する。その結果、シーケンス制御手段７は第３の制御情報ＣＩ３によってコマンド信号生成手段８を起動し、コマンド信号生成手段８に含まれるインベントリ・コマンド信号生成手段はインベントリ・コマンド信号ＩＮＶＳを生成する。生成されたインベントリ・コマンド信号ＩＮＶＳが符号化手段１１に供給されると、それによって、符号化手段１１は符号化インベントリ・コマンド信号ＣＩＮＶＳを変調手段１４に伝送する。その結果、変調手段１４は変調符号化インベントリ・コマンド信号ＭＣＩＮＶＳを増幅手段１６に伝送し、該増幅手段１６は前記信号ＭＣＩＮＶＳを信号マッチング手段１７に伝送する。信号マッチング手段１７は変調符号化インベントリ・コマンド信号ＭＣＩＮＶＳを局送信手段１８に伝送する。その結果、存在情報伝達信号ＰＲＥＳを受信すると、通信局１は局送信手段１８によって通信局１の通信範囲において変調符号化インベントリ・コマンド信号ＭＣＩＮＶＳを発信する。
【００５７】
通信局１によって発信された変調符号化インベントリ・コマンド信号ＭＣＩＮＶＳは、トランスポンダ伝送手段２９によって受信され、復調手段３２に供給される。その結果、復調後、復調手段３２は符号化インベントリ・コマンド信号ＣＩＮＶＳを復号化手段４１に伝送し、復号化手段４１は復号化後、インベントリ・コマンド信号ＩＮＶＳをインベントリ・コマンド信号検出手段４３に伝送する。インベントリ・コマンド信号検出手段４３は、自己に供給されたインベントリ・コマンド信号ＩＮＶＳを検出し、その結果インベントリ・コマンド信号検出手段４３は第４の制御情報ＣＩ４をシーケンス制御手段４６に伝送する。これにより、シーケンス制御手段４６は第５の制御情報ＣＩ５によって応答信号生成手段４５を起動し、この結果、応答信号生成手段４５は識別データＩＤを含む応答信号ＲＥＳＰＳを生成し、該応答信号ＲＥＳＰＳを符号化手段４２に伝送する。符号化手段４２は符号化後、符号化応答信号ＣＲＥＳＰＳを変調手段３３に伝送する。第４の制御情報ＣＩ４がシーケンス制御手段４６に伝送されることは、さらに、シーケンス制御手段４６は、サブキャリア信号スイッチング手段４８が第２のサブキャリア信号生成装置３５を変調手段３３に接続するという信号状態の制御信号ＣＳ１をサブキャリア信号スイッチング手段４８に伝送することを意味する。その結果、サブキャリア周波数４２４ｋＨｚを有する第２のサブキャリア信号ＳＣＳ２は、符号化応答信号ＣＲＥＳＰＳの機能として変調され、これによりその後、変調手段３３は、変調符号化応答信号ＭＣＲＥＳＰＳをトランスポンダ伝送手段２９に伝送する。その結果、トランスポンダ２はインベントリ・コマンド信号ＩＮＶＳを受信すると、通信局１の通信範囲内でトランスポンダ２のインベントリを許可する応答信号ＲＥＳＰＳを発信する。
【００５８】
トランスポンダ２によって発信された変調符号化応答信号ＭＣＲＥＳＰＳは局送信手段１８によって受信され、その後、受信された変調符号化応答信号ＭＣＲＥＳＰＳは、信号マッチング手段１７を介して第２のフィルタ手段２２に供給され、第２のフィルタ手段２２はフィルタ処理を施す。続いて、受信された変調応答信号ＭＣＲＥＳＰＳの復調が第２の復調手段２３によって実行され、これにより第２の復調手段２３は第２の復号化手段１３に符号化応答信号ＣＲＥＳＰＳを伝送する。第２の復号化手段１３が復号化を実行すると、第２の復号化手段１３は応答信号検出手段１０に応答信号ＲＥＳＰＳを伝送する。別のトランスポンダ２からのさらなる応答信号ＲＥＳＰＳが、受信された応答信号ＲＥＳＰＳと衝突を起こすと、応答信号検出手段１０に含まれる衝突検出手段がこれを検知して、その後、対象のトランスポンダは別個のコマンド信号により新たな応答信号ＲＥＳＰＳを発信するように要求される。一方、応答信号ＲＥＳＰＳが１つだけ、図２による１つのトランスポンダ２から受信された場合には、この応答信号ＲＥＳＰＳは応答信号検出手段１０によって検出され、その結果応答信号ＲＥＳＰＳに含まれると共に対象のトランスポンダ２特有の識別データＩＤがインベントリ手段７Ａに送られる。続いて、インベントリ手段７Ａは、当該トランスポンダ２のインベントリを実行する。このことは換言すると、応答信号ＲＥＳＰＳが正確に受信された時に、応答信号ＲＥＳＰＳが正確に受信され且つ検出された当該トランスポンダ２のインベントリを通信局１が実行する、ということである。
【００５９】
供給電圧生成手段３０および「パワーオン」検出手段３４により設けられているキャリア信号検出手段４７の代わりに、非変調キャリア信号ＮＭＣＳの存在を検出することのできる単純なＨＦ検出器を、キャリア信号検出手段として設けてもよいことに言及しておく。かかる設計は、トランスポンダがいわゆる能動的トランスポンダである場合に特に有利であるが、かかるアクティブなトランスポンダにおいては、供給電圧は、例えば受信された非変調キャリア信号ＮＭＣＳのような受信信号から必要な供給電圧Ｖを生成する供給電圧生成手段３０からではなく、内臓型バッテリから得られる。
【００６０】
通信局１及びトランスポンダ２の前述の設計においては、存在情報伝達信号ＰＲＥＳの第１の信号持続時間と応答信号ＲＥＳＰＳの第２の信号持続時間との比Ｘの選択値はＸ＝２９としたが、Ｘの値は必ずしもそうである必要はなく、例えば比Ｘの値がＸ＝２０からＸ＝３５の間にある場合など、比Ｘの他の値を用いて有利な場合もある。しかし、多様な用途においては比ＸをＸ＝１０〜Ｘ＝１００の範囲の他の値にした方が有利である可能性もある。
【００６１】
上述のケースでは、全ての識別データＩＤが１つの応答信号ＲＥＳＰＳに組み込まれているが、必ずしもそのようにする必要はなく、識別データＩＤのうち幾つかのデータだけで応答信号ＲＥＳＰＳを形成してもよい。識別データＩＤはしばしばシリアル番号と称される。
【００６２】
上述のケースでは、トランスポンダ２は通信局１の通信範囲において一度だけ存在情報伝達信号ＰＲＥＳを発信する。このような状況では、トランスポンダ２が通信局１から非常に離れた位置にあって、トランスポンダ２が通信局１によって発信された非変調キャリア信号ＮＭＣＳを受信しても、トランスポンダ２が生成及び発信する存在情報伝達信号ＰＲＥＳは、非変調キャリア信号ＮＭＣＳよりも著しく低いレベルにあるために通信局１によって受信されないという状況も起こりうる。このようなことから生じる問題を回避するために、上述の方法、通信局１及びトランスポンダ２に関する改良された設計例として、トランスポンダ２が非変調キャリア信号ＮＭＣＳを受信した時に一度だけ存在情報伝達信号ＰＲＥＳを生成するのではなく、一度目の存在情報伝達信号ＰＲＥＳを生成した後、ある一定の間隔の後にトランスポンダ２が二度目の存在情報伝達信号ＰＲＥＳを生成したり、任意の間隔を置いて、或いは反復するインターバルで繰り返し存在情報伝達信号ＰＲＥＳを生成して、それにより、通信局１がトランスポンダ２によって生成及び発信される存在情報伝達信号ＰＲＥＳを確実に受信することを保証すべきであることを提案する。この場合には、トランスポンダ２においてインベントリ・コマンド信号ＩＮＶＳが受信された時に、繰り返される存在情報伝達信号ＰＲＥＳの生成及び発信を終了するという、終了の条件を規定することが特に有利であることが判明している。
【図面の簡単な説明】
【００６３】
【図１】本発明の実施形態の１つの例による通信局の主要部を示すブロック回路図。
【図２】本発明の実施形態の１つの例による集積回路を含む、本発明の実施形態の１つの例によるトランスポンダの主要部を示すブロック回路図。
【符号の説明】
【００６４】
１  通信局
２  トランスポンダ
３  集積回路
７  シーケンス制御手段
８  インベントリ・コマンド信号生成手段
９  存在情報伝達信号検出手段
１５  キャリア信号生成装置
１８  局送信手段
２６、２７  接続
２９  トランスポンダ伝送手段
４３  インベントリ・コマンド信号検出手段
４４  存在情報伝達信号生成手段
４５  応答信号生成手段
４６  シーケンス制御手段
４７  キャリア信号検出手段
【図１】
2005537734.tif 000003
【図２】
2005537734.tif 000004
【国際調査報告】
2005537734.tif 000005
2005537734.tif 000006